(57)【要約】  この発明は、基部（２）と、好ましくは周方向に配される側壁（３ａ、３ｂ）とを有するプラスティックからなる入れ物（１）、特に、飲料ボトルを受け入れるためのボトルケースに関する。当該入れ物（１）においては、好ましくは側壁（３ａ、３ｂ）および／または底部（２）の平坦な内側および／または外側の外観面の少なくとも一部は、好ましくは互いの上および／または互いに隣接して複数のバンプ（４）を有する。上記入れ物（１）は低重量および高強度を有し、単純かつ低コストで製造され得る。
2012505799.tif 000002
【特許請求の範囲】
【請求項１】
基部（２）と周方向に配される側壁（３ａ、３ｂ）とを含むプラスティックの入れ物（１）、特に、飲料ボトルを受け入れるためのボトルケースであって、側壁（３ａ、３ｂ）の内側および／または外側、それぞれ好ましくは平坦な外面の少なくともある部分には、好ましくは表面延在部を有する複数の突出部（４）が設けられ、前記突出部（４）は、互いの上および／または隣接して配され、かつそれぞれの側壁の外面の少なくとも６０％、好ましくは少なくとも７５％に設けられる、入れ物。
【請求項２】
前記突出部（４）は、内側および／または外側の外観面（３ａ、３ｂ）全体に設けられる、請求項１に記載の入れ物。
【請求項３】
前記入れ物（１）は、少なくとも内側壁部分において補強リブおよび／または補強バー（１０）を含み、前記補強リブおよび／または補強バーは、好ましくは隣接する溝部または隆起部（８）の凹部の間の突出部（７）に遷移する、請求項１または２に記載の入れ物。
【請求項４】
前記突出部（４）は均一のパターンで配される、先行する請求項のいずれか１項に記載の入れ物。
【請求項５】
前記突出部（４）は、互いに隣接かつ互いの上に列で配される、先行する請求項のいずれか１項に記載の入れ物。
【請求項６】
前記突出部（４）は斜めの列に沿って配される、請求項１〜４に記載の入れ物。
【請求項７】
前記突出部は、表面延在部を有する隆起部（４）によって形成される、先行する請求項のいずれか１項に記載の入れ物。
【請求項８】
前記突出部または隆起部（４）は、角錐状に形成され、好ましくは外方向に隆起する角錐表面を有するように形成される、先行する請求項のいずれか１項に記載の入れ物。
【請求項９】
前記突出部または隆起部（４）はそれぞれ長方形、好ましくは正方形の平面形状を有する、先行する請求項のいずれか１項に記載の入れ物。
【請求項１０】
前記隆起部（４）は、エッジを有することなく設けられ、隣接する隆起部同士の間に形成される溝部（５）へと半径方向に遷移する、請求項７〜９のいずれか１項に記載の入れ物。
【請求項１１】
入れ物の長い側上の隆起部（４）の数は、３００〜７５０の範囲であり、入れ物の狭い側上の隆起部（４）の数は２２５〜６２５の範囲である、請求項７〜１０のいずれか１項に記載の入れ物。
【請求項１２】
前記隆起部（４）はそれぞれ、３〜１０ｍｍ、好ましくは５〜９ｍｍ、特に７ｍｍの長さおよび／または幅を有する、請求項７〜１１のいずれか１項に記載の入れ物。
【請求項１３】
前記側壁（３ａ、３ｂ）の壁厚は、１〜３ｍｍの範囲であり、好ましくは２ｍｍ、特に１．５ｍｍである、請求項７〜１２のいずれか１項に記載の入れ物。
【請求項１４】
前記突出部または隆起部（４）は、互いにオフセットした前記側壁（３ａ、３ｂ）の内面および外面上に構成され、特に逆対称に構成される、先行する請求項のいずれか１項に記載の入れ物。
【請求項１５】
前記側壁（３ａ、３ｂ）は、突出部もしくは隆起部（４）により補強され、および／または隣接するリブ（１０）を有する波形構造として構成される、先行する請求項のいずれか１項に記載の入れ物。
【請求項１６】
横方向の壁開口部（１４）が上部取扱バー（１５）により形成され、前記取扱バー（１５）の外面には隆起部（４）が設けられ、前記取扱バーは緊密に間隔を置いたバー形状の薄板（１６）を内面に含み、前記薄板は互いの間に凹部（１７）を規定し、前記凹部（１７）には、好ましくは互いに並んだリブ（１８ａおよび１８ｂ）が設けられ、それぞれ互いに並ぶよう配された前記リブ（１８ａおよび１８ｂ）によって少なくとも２つの平行な横方向リブパターンが形成される、先行する請求項のいずれか１項に記載の入れ物。
【発明の詳細な説明】
【技術分野】
【０００１】
この発明は、プラスティックの入れ物に関し、特に、請求項１のプリアンブルに係る、飲料ボトルを受け入れるためのボトルケースに関する。
【背景技術】
【０００２】
果物および野菜を運ぶための入れ物ならびに飲料ボトルを受け入れるためのボトルケースは、典型的にプラスチック材料から射出成形により作り出され、基部と、周方向に配される４つの側壁とを含む。当該側壁は、目視用および取出用の貫通孔のために切り抜かれている。このタイプの入れ物は典型的には大量に作られるので、材料を節約するために側壁を狭く構成する傾向がある。他方、典型的な再利用可能な入れ物として構成されるこれらの入れ物は常にリサイクルされ、したがって再利用される。このような入れ物の耐用年数は少なくとも１０年である。これは、ケースには２４本の１リットルボトルを有するものがあり、当該ボトルは飲料で満たされる際には当該飲料に対応する重量を有することを考えると、入れ物は使用の間に重い荷重を受けることになるので、入れ物はさらに十分な安定性を有さなければならないということを意味する。したがって、このタイプの入れ物は、非常に多くの場合、それぞれ補剛装置を有するよう構成される。詳細には、外面および内面上にリブが設けられる。しかしながら、これは複数回用いられる入れ物には不利となる。なぜならば、汚れがその後の洗浄プロセスにおいて除去するのが困難なリブおよびコーナーのエッジに蓄積するからである。したがって、このタイプのケースを洗浄するのは複雑であり、相対的に高価になる。そのため最近ではこのような入れ物は、部分的にコアによって、さらに部分的にガス吹流法によって作り出される中空プロファイルを有するように構成されている。しかしながら、これにより壁厚が相対的に大きくなる。さらに、コアとガス吹流法とを用いると、製造プロセスが相対的に複雑になる。他方、特定の補剛装置を有さないケースは、それに対応するよう分厚い壁を有するように構成されなければならない。これは、得られる入れ物の材料の使用量および高重量により不利になる。
【発明の概要】
【発明が解決しようとする課題】
【０００３】
この発明の目的は、重量が低く、エッジまたはリブが設けられず外観面を滑らかにしたまま安定性を維持して洗浄プロセスを容易にするとともに、単純かつコスト効率のよい態様で製造され得る入れ物、とくにボトルケースを提供することである。
【０００４】
上記の目的は、この発明に従うと、請求項１に記載される特徴により達成される。この発明の好ましい実施例は、独立項の特徴によって特徴付けされる。
【課題を解決するための手段】
【０００５】
この発明に係る特徴に基づくと、壁の少なくとも１つの外面の複数の突出部により安定性が増加する。これにより、入れ物の側壁の厚さの低減が容易になる。これによりさらに、数が多く生産される場合に確実に最終的に価格に影響する材料消費が少なくなる。さらに、複数の均一に分散した平坦な突出部を有するデザインの特定の特徴に基づき、入れ物の分野に新しいデザインの選択肢が与えられる。新しいデザインの選択肢は、特に醸造所および飲料生産者は付加的な広告手段として特定のデザインを通じて競争相手に対して差別化することを求めているので、特に重要である。平坦な突出部は、リブおよび同様のバーとは異なる表面延在部を指定する。すなわち、突出部の形状は、ほぼ長方形状の平面形状を有する場合は、縁の長さについて１：１から１：２の比を有し、楕円状の平面形状の場合は、小さい直径と大きい直径との比について１：１から１：２の比を有する。したがって、対象の表面は、少なくとも６０ｍｍ２、好ましくは８０ｍｍ２の表面延在部を指定することになる。したがって複数の突出部は、側壁の表面延在部の主な部分、すなわち少なくとも６０％、好ましくは少なくとも７５％以上をカバーする。これにより、プロファイルのない表面、すなわち突出部がない表面が、必要に応じて商品または生産者を特定するためのラベル、刻印、またはその他のデザインを適用するために残される。このように用いられる平坦な外観面の長さは、突出部が外方向に延在する側壁の理論上の外観面を指定する。
【０００６】
このように側壁には、連続する面またはたとえば目視用の孔または取扱用の孔といった切抜部を設けることが可能である。したがって、平坦な突出部は、外側、内側、または両側に設けられ得る。さらに、入れ物の基部も突出部を含み得る。当該突出部は、互いに対向するように配されるか、または互いにオフセットされるように配されるかのいずれかが可能である。内側壁および／または外側壁の一部分のみでなく複数の部分にも複数の突出部が設けられることも実施可能である。これにより、十分な安定性を提供しつつ同時に、１色または複数色で入れ物のさまざまな顧客重視のデザインおよび構成が提供される。
【０００７】
この発明の有利な実施例では、突出部は側壁の内側および／または外側の外観面の全体上に設けられる。したがって、突出部を有する当該構造は、側壁の両側上の全表面、すなわち内側および外側の外観面に亘って延在するのがさらに有用である。これにより、複数の突出部を内側および外側に有するよう構成される側壁は、平滑な壁と比較して安定性の向上が促進され、これにより壁厚が低減され得る。基部および４つの側壁を有する入れ物の場合、当該側壁にはその外側および内側上に完全に突出部が設けられ、隆起部または突出部が設けられていない平坦な外観面を有する側壁に対して壁の厚さが１０％から２０％の範囲で低減しても、同じ安定性が得られる。したがって、入れ物または側壁の重量の減少は約８％〜２０％の範囲である。
【０００８】
この発明の好ましい実施例では、入れ物は、さらなる安定性を側壁に与える、および／または格子構造を形成する補強リブまたはバーを含む。したがって、補強リブまたはバーが、側壁に配されるとともに側壁の部分に接続される自身の第１の端部が隣接した溝状の窪みまたは隆起部同士の凹部の間に形成される突出部へと側壁の内側にて遷移するのが有利である。これにより、一方では、側壁はさらにより形状が安定するとともに、他方では、継ぎ目、すなわちバーまたは補強リブが側壁の部分に接合する側壁の部分においてプラスチック材料の冷却特性の違いにより典型的に形成されるひけマークが防止され得る。これにより、壁に直角で接合する補強リブに対して形成されたであろう典型的なひけマークが回避される。
【０００９】
好ましくは、突出部は規則的なパターンで配される。すなわち、側壁の高さおよび／または幅に亘って側壁の一部または全面に同じ突出部または複数の突出部が連続して同じ距離で再現される。
【００１０】
突出部は、互いに隣接するか、または互いの上に連続して配されるのが有利である。したがって、突出部が入れ物の壁上において連続した態様で入れ物基部に対して平行および／または垂直に構成されるよう実施可能である。すなわち、同じ表面プロファイルが側壁の一部の上を、入れ物の高さおよび／もしくは幅に亘って、または入れ物の壁の全面に亘って延在する。突出部はそれぞれ入れ物基部に対して９０°および／または１８０°の角度で延在するだけでなく、ある傾斜角度、たとえば斜めの列で互いに沿って延在することも実施可能である。この形状の自由により、突出部のさまざまな視覚的外観が採用可能であり、多くのデザインの選択肢が存在する。
【００１１】
この発明の別の有利な実施例では、突出部は表面延在部を有する隆起部により形成される。この反った表面は、最小の部分と突出部との間で湾曲した延在部を有する。反った表面が形成される部分は、反った表面によって高い形状安定性を有する。したがって、曲率線の割線同士がある規定された表面内でより多く交わるとともに、分散したこれらの交点が当該表面上により多くなるか、または交点にカバーされる表面の部分が高くなると、結果得られる部分では形状安定性および荷重支持性能がより高くなる。この特徴は、特に安定性のある壁およびケースを製造するために用いられ得ると同時に、低重量および低生産コストを達成する。湾曲構造を有する壁またはケースの安定性をさらに増加させるために、入れ物には垂直方向に配されるリブが設けられ得る。リブは、曲げに対して側壁を補剛および補強し、これにより、側壁の厚さが低減されても、公知の入れ物よりも高い荷重支持性能がこの発明に従った入れ物に与えられる。リブを側壁に対して垂直または水平に配することも実施可能であるが、リブは内壁に９０°の角度で接合するのが好ましい。この位置でリブは側壁の内観の突出部に接合するので、材料は、９０°より大きい角度でリブから突出部へと遷移する。そのため、射出成形材料に典型的であったひけマークが回避される。
【００１２】
隆起部は、角錐状に形状決めされ、好ましくは外方向に隆起する角錐表面を有するのが有利である。この発明は突出部または隆起部の特定の形状に限定されないのはもちろんであるが、台形構造、半球、または他の形状といった複数の面、遷移部、または円状構造が実施可能である。突出部の好ましい形状は、エッジを有さないよう構成され、かつ隣接する隆起部の間に形成される溝部へと半径方向に遷移する円形状の隆起部である。さらに、突出部自身が円形状に構成されるのが有利である。円形の隆起構造の場合、エッジを有する構造とは対照的に当該構造は特定の磨耗に晒されない。円形の突出部が設けられた側壁面への接触の場合、つかんだ際の感覚が心地よくなり得る。突出部または隆起部の長さおよび幅が３ｍｍ〜１０ｍｍの範囲であるのが有利である。これらすべてにより、約２ｍｍの有利な壁の厚さが容易に得られる。リブの厚さは、１．５ｍｍから２ｍｍの範囲が有利である。これにより、平滑な側壁を有する入れ物と比較して材料が節減され、大量の場合であっても製造コストが好適になる。
【００１３】
好ましくは、それぞれの突出部または隆起部は長方形、好ましくは正方形の平面形状を含む。もちろん、当該突出部は他の平面形状も備え得る。たとえば、突出部は三角形、円形、六角形の形状を含み得る。すなわち、形およびサイズといった構造の形状は限定されず、所望のように変更され得る。
【００１４】
特に好ましくは、入れ物の長手側の隆起部の数は３００と７５０との間の範囲であり、狭い側上では、２２５〜６２５の範囲である。
【００１５】
この発明のさらに有利な実施例では、側壁の内面上の突出部は、側壁の外面上の突出部と比較して逆対称的に構成される。この文脈での逆対称とは、突出部の構造は、側壁の内側および外側上での鏡像ではなく、逆転したものを意味する。すなわち、一方の側上の突出部が他方の側上の窪みに対応することを意味する。この表面プロファイルの逆対称的な構成により、平滑な側壁の安定性と比較して、同じ壁厚でより高い安定性の側壁が得られる。入れ物の壁および入れ物自身の安定性はさらに、補強リブまたはバーを配することによって促進され得、これにより、たとえば波形の金属薄板に対して設けられた場合のように、曲げに対して側壁を補剛する。
【００１６】
この発明は、側壁の正反対の側上にて互いに逆対称に構成される突出部を有する入れ物に限定されず、側壁の対向する側上に突出部を随伴する他の実施例も考えられ得る。突出部は、たとえば互いに平行、垂直、または傾斜角度をもって特定の距離だけ互いにオフセットして配され得る。
【００１７】
以下、この発明の好ましい実施例を図面を参照して説明する。
【図面の簡単な説明】
【００１８】
【図１】この発明に従った入れ物の斜視図を示す図である。
【図２】この発明に従った図１に係る入れ物の側面図を示す図である。
【図３】この発明に従った図１に係る入れ物の水平断面図を示す図である。
【図４】左側壁が断面で示される、入れ物の実施例の部分図を内側から示す図である。
【図５】図４の左上に示される側壁における取扱バーの断面の変形例を示す図である。
【図６】図４の左上に示される側壁における取扱バーの断面の変形例を示す図である。
【発明を実施するための形態】
【００１９】
図１は、この発明に従ったプラスティックの入れ物１を概略的な斜視図にて示す図である。入れ物１は図２では、側面図で示される。
【００２０】
入れ物１は、入れ物基部２と、４つの側壁３ａ、３ｂとを含む。図１は長い側壁３ａと短い側壁３ｂとを示す。これらの側壁３ａ、３ｂは、取扱用および目視用の貫通孔のために切り抜かれるよう構成される。短い側壁３ｂおよび長い側壁３ａの外面は、平坦な突出部４および溝部５として構成される繰り返される表面プロファイルを有する部分として示される。表面プロファイルは、大まかに言うと、入れ物の壁３ａ、３ｂ上の、入れ物基部２に対して平行および垂直に示される波形形状の構造として構成される。突出部４の特定の構造は、エッジがない隆起部４として構成される。隆起部は、隣接する隆起部同士の間に形成される溝部５内へと半径方向に遷移する。突出部４は、それぞれ側壁３ａ、３ｂの中心から見ると、外方向に反る凸形形状を有する。隆起部４の平面形状はそれぞれ長方形、実質的に正方形である。隆起部の３次元形状は、クッションの形に類似している。
【００２１】
入れ物１の短い側壁３ｂおよび長い側壁３ａの外側上には、たとえば刻印による製品識別のために用いられ得る平滑な表面６を有する部分がそれぞれ見られる。図１はさらに、長い側壁３ａおよび短い側壁３ｂの内面を示す。短い側壁３ｂおよび長い側壁３ａの内面には、複数の突出部７が設けられる。突出部７同士の間には、凹状の湾曲部８を有する窪み８が配される。すなわち、窪み８は内側の外観面に対して内方向に反っている。したがって、側壁３ａ、３ｂの内側および外側の表面構造は、隆起部４および窪み８が互いに対して対向するように、したがって、好ましくは一方の側上の突出部が他方の側上の窪みに対応するように互いにオフセットされて配される。表面は、これらの部分において側壁３ａ、３ｂが実質的にそれらの中心面に対して反った形状を有するように逆対称に設けられる。もちろん、側壁の対向する表面上に突出部を随伴する別の実施例も考えられる。たとえば、平行、垂直、またはある傾斜角度で特定の距離だけ互いに対してオフセットし得る。これにより、このタイプの入れ物について非常に魅力のあるデザインが提供される。しかしながら、側壁の対向する側上の突出部同士の非対称的なミラー反転が好ましい。これにより側壁は、壁厚を同時に縮小しても特に安定となる。
【００２２】
図１には、側壁３ａ、３ｂの見ることができる外面の各々の上に、平滑な表面を有する部分６が１つだけ示される。しかしながら、側壁３ａ、３ｂは、平滑な表面を有する複数の部分６を含むことも可能である。さらに、突出部４、７を側壁３ａ、３ｂに全体的に設けること、すなわち側壁の全表面にわたって設けることも可能である。表面プロファイルの他の組み合わせも実現可能である。たとえば、側壁が部分的に平滑または完全に平滑な表面を含み得、第２の側壁がその一部または全体上に表面プロファイルを含み得、第３の側壁が同じように構成され得るが、異なる形状の表面プロファイルを有する。これにより、壁厚を低減しつつ側壁の安定性が増加するだけではなく、構成およびデザインの選択肢が向上する。
【００２３】
入れ物１の横面３ａ、３ｂの横側縁９について、したがって入れ物１のコーナー側部９について、周方向に表面プロファイルを特定の立面にて構成することも可能である。すなわち、入れ物１のコーナー部では、２つの隣接する側壁３ａ、３ｂの部分において、図１における表面プロファイルの構造は、入れ物１の側壁３ａ、３ｂの外面の凸状の湾曲部４の最大部分と、側壁３ａ、３ｂの内面の凹状の湾曲部８の最小部分とがコーナー部９において一致するように配置されるように構成される。したがって、射出成形法の場合、平滑な壁が互いに接合する際に起こっていたであろうひけマークが防止され得る。
【００２４】
平滑な表面を有する部分６が、内方向にオフセットされるということは図２から明らかである。すなわち部分６は、壁３ａ、３ｂにおいて、突出部４に対して凹んでいる。しかしながら、複数の部分６のうち外方向にオフセットする１つの部分６を作り出すことも可能である。側壁３ａ、３ｂの表面プロファイルは、入れ物基部２に対して実質的に平行および垂直に延在する。突出部４の平面形状は、実質的に長方形状である。側壁３ａ、３ｂのさまざまな部分における構造の横方向の長さは、入れ物１の立面に亘って連続的に繰り返される、連続的な短縮された円形として構成される隆起部４として与えられる。しかしながら、当該構造は、正弦波状の構造、正円形の構造、または波のサイズが変動し得る他の波形状構造として構成されることも可能である。同様に、水平方向および垂直方向にオフセットと重なり得る２つまたは複数の波の組み合わせも実現可能である。平滑で均一な表面、したがって突出部のない表面を有する部分６が最大で全表面積の４０％に達し、好ましくは２５％未満である表面領域に亘って延在する。
【００２５】
この発明に従った入れ物１は、側壁３ａおよび３ｂの部分に配されるとともに側壁３ａおよび／または３ｂとそれぞれ接続される補強リブ１０を含むことが図３から明らかである。リブ１０は、隣接する隆起部８同士の間の溝部に突出部７が構成される側壁３ａおよび／または３ｂの部分において接続されるという利点がある。これは、垂直に壁と接合するリブに対して典型的に作り出されるひけマークを防止する助けになる。
【００２６】
図３において、側壁３ａ、３ｂの内面上の隆起部８は、側壁３ａ、３ｂの外面上の隆起部４に対して逆対称的に構成される。すなわち、側壁３ａ、３ｂの内面の凹状の湾曲部８の最小部分が、側壁３ａ、３ｂの外面の凸状の湾曲部４の最大部分の位置に配置される。この発明に従った入れ物の実施例では、突出部または隆起部の高さは１ｍｍから３ｍｍの範囲であり、好ましくは１．５ｍｍから２ｍｍの範囲である。これにより、１ｍｍから３ｍｍ、好ましくは２ｍｍの壁厚が容易に得られるという利点がある。
【００２７】
図４は、入れ物の一部を内部から見た図で示す。取扱バーまたは取扱スパーの高さで左側壁が断面で示される。したがって、図１４では、取扱用の孔が入れ物の狭い側壁に指定されている。当該取扱用の孔は、側壁を形成する取扱バーまたは取扱スパー１５の部分により事前に規定されている。取扱バー１５には、緊密に間隔を置いた狭いバー形状の薄板１６が設けられ、薄板同士の間にはそれぞれ凹部１７が配される。さらに、取扱バーはその内部に、横方向に延在するすなわち水平方向に延在する２つの横方向リブを入れ物の通常位置のために含む。上部の横方向リブ１８ａは凹部１７内においてその上部に配され、下部横方向リブ１８ｂはその下部に構成される。図４の左側に示される断面図から明らかなように、横方向リブ１８ａおよび１８ｂは薄板１６の深さよりも短い。横方向リブ１８ａおよび１８ｂは、互いに対してそれぞれ列で配される。横方向リブ１８ａおよび１８ｂは互いに平行に延在する。示される実施例における薄板は、取扱いを容易にする連続した外観面を与えるように同じ深さを有する。当該薄板と組み合わされた横方向リブ１８ａおよび１８ｂとにより、ケースの良好な安定性が与えられる。
【００２８】
さらに図４に示されるように、当該外観面の部分には、それぞれ隆起部４が設けられる。隆起部４を横方向リブ１８ａおよび１８ｂと薄板とに組み合わせて構成することにより、さらに次の利点がある。すなわち、射出成形プロセスの間に溶解したプラスチック材料の冷却の間に、すべての部分において断面が同様であることによって、ひけマークが実質的に回避されるという利点がある。詳細には、ひけマークは隆起部４によって隠され得る。
【００２９】
図５および図６は、薄板１６および横方向リブの変形例を示す。図５では、薄板は曲面１９を有するよう構成される。すなわち、薄板は、部分半径または部分円をその上部に含む。部分半径または部分円は、内方向に方向付けされる丸まった反りへと遷移し、最終的により大きな部分円に至る。
【００３０】
同様の薄板構成が図６から明らかである。図６では、合計３つの横方向リブ１８ａ〜１８ｃが設けられる。
【００３１】
この発明の上記の説明から、この発明に従った入れ物は安定性を保ちつつ従来の入れ物よりも重量が低く、より簡素でよりコスト効率のよい態様で製造され得るということは明らかである。
【図１】
2012505799.tif 000003
【図２】
2012505799.tif 000004
【図３】
2012505799.tif 000005
【図４】
2012505799.tif 000006
【図５】
2012505799.tif 000007
【図６】
2012505799.tif 000008
【国際調査報告】
2012505799.tif 000009
2012505799.tif 000010
2012505799.tif 000011
2012505799.tif 000012